(57)【要約】【課題】外反足（足の足先が外側方向へと曲がった状態で固まってしまう現象）の矯正を行うための器具を提供する。【解決手段】仰向けでの臥床時に、外反足で変形した足の前部を押圧する矯正板を、サポータに固定可能とし、このサポータを固定用バンドで足・足首などに取付ける。【選択図】  図１
2005000405.tif 000002
【特許請求の範囲】
【請求項１】
足の下部に装着するバンドを設けたサポータ、このサポータの外側の一端に取付けた足の前部を押圧する矯正板、この矯正板を、仰向けに臥床しかつ、矯正板の一端が床面と平行になるようにしたとき、外反足の前部を押圧する形状とした外反足の矯正具。
【請求項２】
矯正板をサポータに対し開閉可能を特徴とする請求項１記載の外反足の矯正具。
【請求項３】
矯正板の形状が調整可能を特徴とする請求項１記載の外反足の矯正具。
【請求項４】
バンドをサンダル状の保持片としたことを特徴とする請求項１記載の外反足の矯正具。
【請求項５】
矯正板の使用において前記仰向けに臥床しを、足のみを投げ出した（延ばした）状態としたことを特徴とする請求項１記載の外反足の矯正具。
【発明の詳細な説明】
【０００１】
【発明の属する技術分野】
本発明は、人の足（足首から下の部分をさす以下同じ）に生じる外反足（足の足先が外側方向へと曲がった状態で固まってしまう現象）の矯正を行うための器具に関する。
【０００２】
【従来の技術】
従来、外反足を矯正するには、履物での靴の使用時に靴の外側部を変形し難くして、外側に変形した足を内側に押圧するようにすることが考えられた。また、臥床時に足底板を足の裏側に当てがって、包帯を巻くなどして固定することにより、正常な形に矯正的に保形しておこなっていた。（実用新案文献１参照）
【０００３】
【実用新案文献１】実用新案公報  実公平０３−０２１２２７号
【０００４】
【発明が解決しようとする課題】
上記従来技術にあっては、外側に変形した外反足を下肢を基準に直接変形部を押圧していないので矯正効果が不十分であるという問題点があった。また、上記足底板は、包帯などを用いて足に固定されるものであるため、その固定及び取外し作業に手間がかかっていた。
【０００５】
本発明は、上記問題点を解決するためになされたもので、矯正効果が十分でありまた、包帯などを用いたことによる取外し作業に手間が掛からない外反足の矯正具を提供することができる。
【０００６】
【課題を解決するための手段】
本発明は、足の下部に装着するバンドを設けたサポータ、このサポータの外側の一端に取付けた足の前部を押圧する矯正板、この矯正板を、仰向けに臥床しかつ、矯正板の一端が床面と平行になるようにしたとき、外反足の前部を押圧する形状とした外反足の矯正具を提供することにより、上記課題を解決したものである。
【０００７】
このため、仰向けでの臥床時に足の長さより少し短くかつ、外反足で変形した足の前部（指側）を押圧する形状の矯正板を、足の外側に足の裏と概ね平行な状態でかつ、両足の踵及び両下肢の後側と前後方向に概ね同一面になるようにサポータに固定可能とし、このサポータを固定用バンドで足・足首などに取付けすることを特徴とする。これにより矯正板の一端が床面と平行になるように仰向けで臥床すれば、矯正板が外反足の前部を押圧する。なお、矯正板は外反足での変形の度合い及び矯正の度合いに応じ、外反足の矯正に適正な形状に整形或いは設定する。
【０００８】
【発明の実施の形態】
本発明の外反足の矯正具は、図１に示されるように、ＦＲＰなどで成形されたサポータ１に、図示しないネジなどを用いてＦＲＰなどで成形された矯正板２を固着する。サポータ１は、図２に示される踵２１を含む踵部から足の形状に沿って前方に延出し、足の裏に近似した略靴底状である。
【０００９】
サポータ１には、布製などによる足首バンド３及び足先バンド４を接着剤などで装着する。足首バンド３にはその両側の先端側に第１接着テープ５，第２接着テープ６を接着剤・縫製などで取りつける。足首バンド３の第１接着テープ５、第２接着テープ６は、この両テープ間での固着開放は自在である。足先バンド４にはその両側の先端側に第３接着テープ７、第４接着テープ８を接着剤・縫製などで取りつける。足先バンド４の第３接着テープ７、第４接着テープ８は、この両テープ間での固着開放は自在である。
なお、この足首バンド３及び足先バンド４は、接着テープによる固着開放に限られず、靴のサンダル方式とか紐等の任意の構造とする。
【００１０】
矯正板２は、図２に示されるように仰向けでの臥床時（人の背面が床面と平行な状態）に、疾患している外反足（図２では右足２２）の外反足前部２４に圧力を加え矯正できるような形状とする。なおこの圧力は疾患個所に局部的な負担がない程度とする。ただし、矯正板２は、図１に示される矯正板裏面２ａを、足の裏とほぼ平行に作られたサポータの底面１ａと略同一面でかつ平行な状態を保持し、また矯正板の一端２ｂは、図２に示される踵部２１の近傍に作られたサポータの踵部１ｂ及び、他の足（図２では左足２３）の踵２１並びに図示しない両下肢の後側と前後方向に略同一面となる状態とする。
なお、矯正板２の形状は、外反足での変形の度合い及び矯正の度合いで変更し決める。  矯正板２の形状の変更は、矯正板２を複数枚持つとか、矯正板２の取付け構造をネジ機構或いはピンなどを用いて調整可能な構造とする方式等がある。
【００１１】
次に動作について右足用で説明する。使用時には図１に示されるサポータ１を足首２５及び足先２６に装着し、足首バンド３及び足先バンド４で足に図２に示されるように固定する。なおサポータ１の足首及び足先への締め具合は、第１接着テープ５及び第３接着テープ７などで調節する。調整板２は外反足の矯正に適した形状とする。なお、使用は就寝などの仰向けでの臥床時に床面を活用して行う。以上により外反足前部２４に圧力を加え矯正を行う。
【００１２】
この外反足の矯正具は、図２に示される右足２２のみ又は左足２３のみ、或いは両足同時でも適用することができる。これらは必要に応じて適宜実施することができる。またこの外反足の矯正具は、臥床時だけでなく治療台などで下肢全体を伸ばした状態（上肢は立った状態）としても使用できる。
【００１３】
図３に示されるものは、他の本発明の実施の形態を示す。第２サポータ１１に、ＦＲＰなどで形成されたプレート１３を蝶番１４ａ、１４ｂで開閉できるように取りつける。蝶番１４ａ、１４ｂは、図示しないビスなどで第２サポータ１１及びプレート１３に固着する。このプレート１３には第２矯正板１２を取付ける。プレート１３は、スプリング１５で第２サポータ１１に対し開放した状態（第２サポータ１１の側面とプレート１３の開度位置関係はおよそ９０度）を維持することができる。スプリング１５は、変形コイルスプリングで、第２矯正板１２を適度に保持できる強さとしかつ、第２サポータ１１で支持する。このとき第２矯正板１２の第２矯正板裏面１２ａは、第２サポータ１１の第２サポータ底面１１ａと略平行になるようにする。なおスプリング１５は、スプリング力の強弱のものを複数用意する。
第２矯正板１２には、図４に示されるように、プレート１３に対応した面に第１１接着テープ１６を接着剤などで取付ける。またプレート１３には、第２矯正板１２に対応した面に第１２接着テープ１７を接着剤などで取付ける。第２矯正板１２とプレート１３とは、第１１接着テープ１６と第１２接着テープ１７を貼り合わせて固着する。その他は前記実施の形態と同一である。
【００１４】
図３での実施形態での動作について説明する。通常の使用時、第２矯正板１２はスプリング１５によってサポータ１１に対し開いた状態にあり、仰向けでの臥床での使用によって外反足の矯正が行われる。次に寝返り等で身体の向きが変わったときは、足を倒すこと等で第２矯正板１２をスプリングの力に打ち勝って第２サポータ側に閉じることができる。足を倒す強さは、スプリング１５を取替えて調整する。その他は前記実施の形態と同一である。
【００１５】
【発明の効果】
以上のように本発明によれば、簡単な矯正板を疾患の外反足に就寝時に取り付けることで、外反足の足が適正な状態に戻す矯正ができ、十分な矯正効果が得られる。  しかもこの矯正板はサポータを介して取りつけるので足への装着が簡単で、固定取外し作業に手間が掛からない。さらに矯正具全体もコンパクトで安価に提供できる。
【図面の簡単な説明】
【図１】本発明に係わる外反足の矯正具で足に装着した状態での外観図である。
【図２】外反足の矯正具を足に装着する状況を示す外観図である。
【図３】他の本発明に係わる外反足の矯正具の構成を示す外観図である。
【図４】図３の補足説明図である。
【符号の説明】
１  サポータ
１ａ  サポータの底面
１ｂ  サポータの踵部
２  矯正板
２ａ  矯正板裏面
２ｂ  矯正板の一端
３  足首バンド
４  足先バンド
５  第１接着テープ
６  第２接着テープ
７  第３接着テープ
８  第４接着テープ
１１  第２サポータ
１１ａ  第２サポータ底面
１２  第２矯正板
１２ａ  第２矯正板裏面
１３  プレート
１４ａ１４ｂ  蝶番
１５  スプリング
１６  第１１接着テープ
１７  第１２接着テープ
２１  踵
２２  右足
２３  左足
２４  外反足前部
２５  足首
２６  足先
【図１】
2005000405.tif 000003
【図２】
2005000405.tif 000004
【図３】
2005000405.tif 000005
【図４】
2005000405.tif 000006